(57)【特許請求の範囲】
【請求項１】
中に製品を保存するための容器において、
前記製品を収納するための内部と前記内部へと続く開口部とを画定する容器本体と、
蓋であって、前記容器本体に関して移動可能であり、前記容器を、前記蓋が前記開口部を覆ってその中に前記製品を包囲する閉状態と、前記開口部が露出する開状態との間で変化させる蓋と、
前記容器本体の上側部分の、前記開口部の付近に取り付けられた筐体にして、前記筐体内に筐体空間を画定する筐体と、
前記筐体空間に移動可能に格納された解除手段であって、前記解除手段が前記蓋を前記閉状態に保持するロック位置と、前記解除手段が、前記蓋が前記開状態へと移動できるように前記蓋を閉状態に保持しないロック解除位置との間で移動するように構成された解除手段と、
を含み、
前記解除手段は前記ロック位置から前記ロック解除位置へと、前記容器の径方向の内方の方向への第一の移動と、それに続く前記容器の軸方向の上方の方向への、前記解除手段のスライドを含む第二の移動とによって移動する容器。
【請求項２】
前記解除手段は、前記ロック解除位置に移動する際に、前記蓋を前記容器本体から外して、前記蓋を前記閉状態から前記開状態に移動させる、請求項１に記載の容器。
【請求項３】
前記容器は、外縁を有する底壁と、前記外縁から上方に延びる管状の側壁と、を含むバイアルであり、前記底壁および前記側壁は前記内部を画定し、前記側壁の上縁が前記開口部を画定する、請求項１または２に記載の容器。
【請求項４】
前記側壁の前記上縁において係合隆条をさらに含み、前記係合隆条は、前記容器が前記閉状態にあるときに前記蓋の一部と係合するように構成される、請求項３に記載の容器。
【請求項５】
前記側壁から、前記筐体と前記開口部との間の位置において径方向の外方に延びるリムをさらに含む、請求項３または４に記載の容器。
【請求項６】
前記蓋の外周は前記側壁の前記上縁の外周より小さい、請求項３に記載の容器。
【請求項７】
前記蓋は前記容器本体にヒンジによって蝶着され、前記蓋は前記ヒンジの周囲で旋回して、前記容器を前記閉状態と前記開状態との間で変化させる、請求項１〜６の何れか１項に記載の容器。
【請求項８】
前記蓋は、前記容器が前記閉状態にあるときに前記開口部を覆うように構成された基部壁と、前記基部壁の底面から下方に延びるシールと、を含み、前記シールは、前記容器が前記閉状態にあるときに前記容器本体と係合して、前記蓋と前記容器本体との間に実質的に防湿密閉状態を形成するように構成される、請求項１〜７の何れか１項に記載の容器。
【請求項９】
前記蓋は、前記容器が前記閉状態にあるときに前記開口部を覆うように構成された基部壁と、前記基部壁から、前記蓋の外周に沿って下方に延びるスカートと、を含み、前記スカートは、前記容器が前記閉状態にあるときに前記側壁の上縁と接触する、請求項３に記載の容器。
【請求項１０】
前記スカートが前記側壁と係合して実質的に防湿密着状態を形成する、請求項９に記載の容器。
【請求項１１】
前記蓋は、前記容器が前記閉状態にあるとき、前記筐体の上へ延びるように位置付けられたタブまたは正面部分の少なくとも一方をさらに含み、
タブまたは正面部分の前記少なくとも一方は、前記基部壁の延長部として形成され、前記容器が前記閉状態にあるときに、前記筐体の外面と平らに、またはそれに関して径方向の内側に位置付けられる端を有し、
タブまたは正面部分の前記少なくとも一方の底面は、前記容器が前記閉状態にあるときに前記筐体の上面と対面する、
請求項８に記載の容器。
【請求項１２】
タブまたは正面部分の前記少なくとも一方は、前記底面から下方に延びるガイドをさらに含み、前記ガイドは、前記容器が前記閉状態にあるときに前記容器の側壁の前記外面と接触するように位置付けられる、請求項１１に記載の容器。
【請求項１３】
前記ガイドはスリットを画定し、前記側壁は、前記容器が前記閉状態にあるときに前記スリット内に保持される係合隆条を含む、請求項１２に記載の容器。
【請求項１４】
前記ガイドはノッチを画定し、前記解除手段は、前記容器が前記閉状態にあるときに前記ノッチの中に保持されるラッチを含み、前記解除手段の前記第一の移動によって前記ラッチが前記ノッチから外れる、請求項１２に記載の容器。
【請求項１５】
前記筐体は橋状壁を含み、前記橋状壁は第一および第二の端を有し、これらは前記容器本体に取り付けられて、前記容器本体と前記橋状壁との間に筐体空間を画定し、前記筐体空間は前記解除手段をスライド可能に格納するような寸法である、請求項１〜１４の何れか１項に記載の容器。
【請求項１６】
前記解除手段は、前記第一の移動および前記第二の移動を作動させるように構成されたボタンを含む、請求項１〜１５の何れか１項に記載の容器。
【請求項１７】
前記ボタンは、前記ロック位置にあるときに前記筐体の橋状壁の下から突出する、請求項１６に記載の容器。
【請求項１８】
前記ボタンは前記第一の移動中に前記橋状壁を通過し、前記第二の移動中に前記橋状壁の内側を通る、請求項１７に記載の容器。
【請求項１９】
前記ボタンは前記解除手段の本体に旋回可能に取り付けられる、請求項１６〜１８の何れか１項に記載の容器。
【請求項２０】
前記解除手段は、前記第二の移動中に前記蓋を押し上げる上縁を含む、請求項１〜１９の何れか１項に記載の容器。
【請求項２１】
前記解除手段は前記ロック位置へと付勢される、請求項１〜２０の何れか１項に記載の容器。
【請求項２２】
前記解除手段は、解除手段の両側部から外方に延びる２つのアームを含む、請求項１〜２１の何れか１項に記載の容器。
【請求項２３】
容器を開状態と閉状態との間で変化させる方法において、
前記容器を提供するステップであって、前記容器が、
−  製品を収容するための内部と前記内部へと続く開口部とを画定する容器本体と、
−  蓋であって、前記容器本体に関して移動可能であり、前記容器を、前記蓋が前記開口部を覆う閉状態と、前記開口部が露出する開状態との間で変化させる蓋と、
−  前記容器本体の上側部分の、前記開口部の付近に取り付けられた筐体にして、前記筐体内に筐体空間を画定する筐体と、
−  前記筐体空間に移動可能に格納された解除手段であって、前記解除手段が前記蓋を前記閉状態に保持するロック位置と、前記解除手段が、前記蓋が前記開状態に移動できるように前記蓋を閉状態に保持しないロック解除位置との間で移動するように構成された解除手段と、
を含むステップと、
前記解除手段を前記ロック位置から前記ロック解除位置へと、前記解除手段を前記筐体内で前記容器の径方向の内方の方向に移動させ、その後、前記解除手段を前記筐体空間内で、前記容器の軸方向の上方の方向にスライドさせることによって移動させるステップと、
前記蓋を前記閉状態から前記閉状態へと移動させるステップと、
を含む方法。
【請求項２４】
前記蓋は前記容器本体にヒンジによって旋回可能に蝶着され、前記蓋を前記閉状態から前記開状態に移動させるステップは、前記蓋を前記ヒンジの周囲で旋回させるステップを含む、請求項２３に記載の方法。
【請求項２５】
前記容器を、前記蓋を前記開状態から前記閉状態へと移動させることによって閉じるステップをさらに含む、請求項２３または２４に記載の方法。
【請求項２６】
前記解除手段は、前記ロック位置へと付勢され、前記蓋を閉じた後に前記ロック位置に戻る、請求項２５に記載の方法。
【請求項２７】
前記解除手段はボタンを含み、前記解除手段を前記ロック位置から前記ロック解除位置へと移動させるステップは、前記ボタンを前記容器の前記径方向の内方の方向に押すステップと、その後、前記ボタンを前記容器の前記軸方向の上方の方向に押し上げるステップと、を含む、請求項２３〜２６の何れか１項に記載の方法。
【請求項２８】
前記ボタンは前記解除手段にヒンジによって蝶着され、前記解除手段を前記容器の前記径方向の内方の方向に移動させるステップは、前記ボタンを前記ヒンジの周囲で前記容器に向かって旋回させるステップを含む、請求項２７に記載の方法。
【請求項２９】
中に製品を保存するための容器において、
前記製品を収納するための内部と前記内部へと続く開口部とを画定する容器本体と、
蓋であって、前記容器本体に関して移動可能であり、前記容器を、前記蓋が前記開口部を覆ってその中に前記製品を包囲する閉状態と、前記開口部が露出する開状態との間で変化させる蓋と、
前記容器本体の上側部分の、前記開口部の付近に取り付けられた筐体と、
前記筐体内に移動可能に格納された解除手段であって、前記解除手段が前記蓋を前記閉状態に保持するロック位置と、前記解除手段が、前記蓋が前記開状態へと移動できるようにするロック解除位置との間で移動するように構成された解除手段と、
を含み、
前記解除手段は、前記解除手段を径方向の内方の方向に押すことからなる第一の移動によって前記ロック位置から前記ロック解除位置へと移動可能であり、
前記ロック解除位置において、前記解除手段は、前記蓋と接触して前記蓋を押し上げるように前記解除手段を軸方向の上方の方向へとスライドさせることからなる第二の移動をするように構成され、前記第二の移動により前記蓋を前記容器本体から外し、前記蓋を前記閉状態から前記開状態へと移動させる容器。
【請求項３０】
前記容器は、外縁を有する底壁と、前記外縁から上方に延びる管状の側壁と、を含むバイアルであり、前記底壁および前記側壁は前記内部を画定し、前記側壁の上縁が前記開口部を画定する請求項２９に記載の容器。
【請求項３１】
前記側壁の前記上縁において係合隆条をさらに含み、前記係合隆条は、前記容器が前記閉状態にあるときに前記蓋の一部と係合するように構成される、請求項３０に記載の容器。
【請求項３２】
前記側壁から、前記筐体と前記開口部との間の位置において径方向の外方に延びるリムをさらに含む、請求項３０に記載の容器。
【請求項３３】
前記蓋の外周は前記側壁の前記上縁の外周より小さい、請求項３０に記載の容器。
【請求項３４】
前記蓋は前記容器本体にヒンジによって蝶着され、前記蓋は前記ヒンジの周囲で旋回して、前記容器を前記閉状態と前記開状態との間で変化させる、請求項２９に記載の容器。
【請求項３５】
前記蓋は、前記容器が前記閉状態にあるときに前記開口部を覆うように構成された基部壁と、前記基部壁の底面から下方に延びるシールと、を含み、前記シールは、前記容器が前記閉状態にあるときに前記容器本体と係合して、前記蓋と前記容器本体との間に実質的に防湿密閉状態を形成するように構成される、請求項２９に記載の容器。
【請求項３６】
前記蓋は、前記容器が前記閉状態にあるときに前記開口部を覆うように構成された基部壁と、前記基部壁から、前記蓋の外周に沿って下方に延びるスカートと、を含み、前記スカートは、前記容器が前記閉状態にあるときに前記側壁の上縁と接触する、請求項３０に記載の容器。
【請求項３７】
前記蓋は、前記容器が前記閉状態にあるとき、前記筐体の上へ延びるように位置付けられたタブまたは正面部分の少なくとも一方をさらに含み、
タブまたは正面部分の前記少なくとも一方は、前記基部壁の延長部として形成され、前記容器が前記閉状態にあるときに、前記筐体の外面と平らに、またはそれに関して径方向の内側に位置付けられる端を有し、
タブまたは正面部分の前記少なくとも一方の底面は、前記容器が前記閉状態にあるときに前記筐体の上面と対面する、
請求項３５に記載の容器。
【請求項３８】
前記筐体は橋状壁を含み、前記橋状壁は第一および第二の端を有し、これらは前記容器本体に取り付けられて、前記容器本体と前記橋状壁との間に筐体空間を画定し、前記筐体空間は前記解除手段をスライド可能に格納するような寸法である、請求項２９に記載の容器。
【請求項３９】
前記解除手段は、前記第一の移動および前記第二の移動を作動させるように構成されたボタンを含む、請求項２９に記載の容器。
【請求項４０】
前記ボタンは、前記ロック位置にあるときに前記筐体の橋状壁の下から突出する、請求項３９に記載の容器。
【請求項４１】
前記ボタンは前記第一の移動中に前記橋状壁を通過し、前記第二の移動中に前記橋状壁の内側を通る、請求項４０に記載の容器。
【請求項４２】
前記解除手段は前記ロック位置へと付勢される、請求項２９に記載の容器。
【請求項４３】
容器を開状態と閉状態との間で変化させる方法において、
前記容器を提供するステップであって、前記容器が、
−  製品を収容するための内部と前記内部へと続く開口部とを画定する容器本体と、
−  蓋であって、前記容器本体に関して移動可能であり、前記容器を、前記蓋が前記開口部を覆う閉状態と、前記開口部が露出する開状態との間で変化させる蓋と、
−  前記容器本体の上側部分の、前記開口部の付近に取り付けられた筐体と、
−  前記筐体内に移動可能に格納された解除手段であって、前記解除手段が前記蓋を前記閉状態に保持するロック位置と、前記解除手段が、前記蓋が前記開状態に移動できるようにするロック解除位置との間で移動するように構成された解除手段と、
を含むステップと、
前記解除手段を前記筐体内で径方向の内方の方向に移動させることにより、前記解除手段を前記ロック位置から前記ロック解除位置へと移動させるステップとを含み、
一旦前記解除手段が前記ロック解除位置に移動したら、前記方法は、前記蓋と接触して前記蓋を押し上げるように前記解除手段を軸方向の上方の方向へとスライドさせ、これにより前記蓋を前記容器本体から外し、前記蓋を前記閉状態から前記開状態へと移動させるステップを含む方法。
【請求項４４】
前記蓋は前記容器本体にヒンジによって旋回可能に蝶着され、前記蓋を前記閉状態から前記開状態に移動させるステップは、前記蓋を前記ヒンジの周囲で旋回させるステップを含む、請求項４３に記載の方法。
【請求項４５】
前記容器を、前記蓋を前記開状態から前記閉状態へと移動させることによって閉じるステップをさらに含み、前記解除手段は、前記ロック位置へと付勢され、前記解除手段は、前記蓋を閉じた後に前記ロック位置に戻る、請求項４４に記載の方法。
【発明の詳細な説明】
【技術分野】
【０００１】
本発明は一般に、容器に関する。本発明はより詳しくは、チャイルドレジスタンス解除機構等の解除機構を有する容器に関する。
【背景技術】
【０００２】
製品包装は、環境保護、損傷からの保護、およびチャイルドレジスタンス保護等の機能によって製品をよりよいものにするために使用できる。理想的には、このような包装は、製品を使用する消費者にとって簡単かつ便利な方法で提供される。
【０００３】
製品包装の１つの一般的な形態はバイアルであり、これは一般に、本体部分と、その最上部に形成された開口部と、開口部を覆うための取り外し可能な蓋と、を含む。蓋はヒンジによって本体部分に蝶着されてもよい。一般に、包装を開封すると製品全体が露出する。製品を環境、例えば湿気から保護する必要があれば、シールが必要となる。製品が子供に適していなければ、チャイルドレジスタンスを提供する方法が必要となる。
【発明の概要】
【発明が解決しようとする課題】
【０００４】
様々な製品と包装の要求事項に対応できる単純で構成しやすい包装が求められている。
【課題を解決するための手段】
【０００５】
本発明は、その中に製品を保存するための容器に関する。容器は、製品を収容するための内部と内部へと続く開口部とを画定する容器本体を含む。容器は蓋をさらに含み、これは容器本体に関して移動可能であり、容器を、蓋が開口部を覆い、その中に製品を囲い込む閉状態と、開口部が露出する開状態との間で変化させる。容器は、容器本体の上側部分の、開口部の付近に取り付けられる筐体をさらに含む。解除手段が筐体内に移動可能に格納される。解除手段は、解除手段が蓋を閉状態に保持するロック位置と、解除手段が蓋を開状態へと移動できるようにするロック解除位置との間で移動するように構成される。解除手段は、ロック位置からロック解除位置へと、容器の径方向の内方への第一の移動と、それに続く容器の軸方向の上方への第二の移動によって移動する。
【０００６】
本発明はさらに、容器を開状態と閉状態との間で変化させる方法に関する。方法は、容器を提供するステップを含む。容器は、製品を収容するための内部と内部へと続く開口部とを画定する容器本体を含む。容器は蓋をさらに含み、これは容器本体に関して移動可能であり、容器を、蓋が開口部を覆う閉状態と、開口部が露出する開状態との間で変化させる。容器は、容器本体の上側部分の、開口部の付近に取り付けられる筐体をさらに含む。解除手段が筐体内に移動可能に格納される。解除手段は、解除手段が蓋を閉状態に保持するロック位置と、解除手段が蓋を開状態へと移動できるようにするロック解除位置との間で移動するように構成される。方法は、解除手段をロック位置からロック解除位置へと、解除手段を筐体内で容器の径方向の内方へと移動させ、その後、解除手段を筐体内で容器の軸方向の上方へと移動させることによって移動させるステップをさらに含む。方法は、蓋を閉状態から開状態へと移動させるステップをさらに含む。
【図面の簡単な説明】
【０００７】
【図１】閉状態にあり、解除手段がロック位置にある本発明による第一の実施形態の容器の正面斜視図である。
【図２】開状態にあり、解除手段がロック位置にある図１の容器の正面斜視図である。
【図３】図１の容器の解除手段の正面斜視図である。
【図４】図１の容器の解除手段の背面斜視図である。
【図５】図１の容器の解除手段の底面図である。
【図６】図１の線６−６に沿って切断した部分断面図である。
【図７】閉鎖位置にあり、解除手段がロック解除位置にある、図６に示される容器の部分断面図である。
【図８】閉状態と開状態との間で変化中の、解除手段がロック解除位置にある、図６に示される容器の部分断面図である。
【図９】開状態にあり、解除手段がロック位置にある図６に示される容器の部分断面図である。
【図１０】解除手段を取り外した状態の図１の容器の拡大正面斜視図である。
【図１１】解除手段を取り外した状態の図１の容器の上面図である。
【図１２】閉状態にあり、解除手段がロック位置にある本発明による第二の実施形態容器の正面斜視図である。
【図１３】開状態にあり、解除手段がロック位置にある図１２の容器の正面斜視図である。
【図１４】図１２の容器の解除手段の正面斜視図である。
【図１５】図１２の容器の解除手段の背面斜視図である。
【図１６】図１２の線１６−１６に沿って切断した部分断面図である。
【図１７】閉状態と開状態との間で変化中であり、解除手段がロック解除位置にある、図１６に示される容器の部分断面図である。
【図１８】開状態にあり、解除手段がロック位置にある、図１６に示される容器の部分断面図である。
【図１９】図１２の容器の蓋の底面正面斜視図である。
【図２０】解除手段と蓋を取り外した状態の図１２の容器の拡大正面斜視図である。
【図２１】蓋を取り外した状態の図１２の容器の拡大正面斜視図である。
【図２２】開状態にあり、解除手段がロック位置にある本発明による第三の実施形態の容器の正面斜視図である。
【図２３】図２２の容器の解除手段の背面斜視図である。
【図２４】閉状態にあり、解除手段がロック位置にある本発明による第四の実施形態の容器の正面斜視図である。
【図２５】開状態にあり、解除手段がロック位置にある図２４の容器の正面斜視図である。
【図２６】図２４の容器の解除手段の正面斜視図である。
【図２７】図２４の容器の解除手段の背面斜視図である。
【図２８】図２４の線２８−２８に沿って切断した部分断面図である。
【図２９】解除手段がロック解除位置にある、図２８に示される容器の部分断面図である。
【図３０】開状態にあり、解除手段がロック解除位置にある、図２８に示される容器の部分断面図である。
【図３１】閉状態にあり、解除手段がロック位置にある本発明による第五の実施形態の容器の正面斜視図である。
【図３２】開状態にあり、解除手段がロック位置にある図３１の容器の正面斜視図である。
【図３３】図３１の容器の解除手段の正面斜視図である。
【図３４】図３１の容器の解除手段の背面斜視図である。
【図３５】図３１の線３５−３５に沿って切断した部分断面図である。
【図３６】開状態にあり、解除手段がロック解除位置にある、図３５に示される容器の部分断面図である。
【図３７】解除手段と蓋を取り外した状態の図３１の容器の拡大正面斜視図である。
【図３８】閉状態にあり、解除手段がロック位置にある本発明による第六の実施形態の容器の正面斜視図である。
【図３９】解除手段と蓋を取り外した状態の図３８の容器の拡大部分正面斜視図である。
【図４０】解除手段を取り外した状態の図３８の容器の拡大部分正面図である。
【図４１】図３８の容器の拡大分解部分背面斜視図である。
【図４２】図３８の容器の解除手段の拡大背面斜視図である。
【図４３】図３８の容器のヒンジの拡大斜視図である。
【図４４】閉状態にあり、解除手段がロック位置にある本発明による第七の実施形態の容器の拡大部分正面斜視図である。
【図４５】閉状態にあり、解除手段がロック位置にある本発明による第八の実施形態の容器の拡大部分正面斜視図である。
【発明を実施するための形態】
【０００８】
上記の説明の中では特定の用語が便宜のために使用されており、限定的とすることは意図されない。「前」、「後」、「上」、「下」等の用語は、参照している図面の中の方向を指す。この用語は、上で具体的に記した単語、その派生形、および同様の意味を有する単語を含む。さらに、不定冠詞と「１つの（ｏｎｅ）」という単語は、特にことわりのないかぎり、言及された項目の１つまたは複数を含むものと定義される。２つ以上の項目、例えば「Ａ、ＢまたはＣ」の後に続く「〜のうち少なくとも１つ」という句は、Ａ、ＢまたはＣの何れか１つおよびそれらの組み合わせを意味する。
【０００９】
図１〜１１は、本発明によるある実施形態の容器アセンブリ１０を示す。容器１０は、図の例のように、医薬品、タバコ製品、菓子、またはその他の食品等の製品を保存するためのバイアルであってもよい。図のように、容器１０は、その中に複数の製品１２を収容するための内部２２を有する容器本体２０を含む。容器本体２０は、内部２２へと続く開口部２４を画定する。容器１０は、開口部２４を覆うように構成された蓋４０を含み、蓋４０は容器本体２０に関して移動可能であり、容器１０を、開口部２４が蓋４０によって覆われる、図１および６に示されるような閉状態と、開口部２４が露出する、図２に示されるような開状態との間で変化させる。図の実施形態において、蓋４０はヒンジ２６によって容器本体２０に蝶着され、蓋４０が本体２０に旋回可能に取り付けられて、容器１０を開状態と閉状態との間で変化させるようになっている。容器１０は、容器本体２０の一部に取り付けられた解除手段６０と解除手段筐体８０をさらに含む。解除手段６０は、解除手段筐体８０の中で、蓋４０を閉状態に保持する、図１、２、および６に示されるようなロック位置と、解除手段６０が蓋４０を容器本体２０から外して、蓋４０を閉状態から開状態へと移動できるようにする、図７に示されるようなロック解除位置との間で移動可能である。
【００１０】
容器本体２０は、底壁２８と、底壁２８からその外縁の周囲で上方に延びる管状の側壁３０と、を含む。底壁２８と側器３０は内部２２を画定する。内向きの段差３４が側壁３０の上端付近に形成される。段差３４は、側壁３０の上方に延びるリム３６を画定し、これは容器本体２０の最上部まで延び、側壁３０の上縁を形成する。
【００１１】
蓋４０が図１０および１１に詳細に示されている。図のように、蓋４０は、容器１０が閉状態にあるとき、容器本体開口部２４を覆うように構成された、実質的に平坦な基部壁４２を含む。内側シール４４が基部壁４２の底面から下方に延びる。シール４４は、その外面上に外方に湾曲する突起５６を含んでいてもよく、これは図の実施形態ではシール４４の底部に向かって形成されている。容器１０が閉状態にあるとき、内側シール４４は、図６からわかるように、容器本体側壁３０の中へと延びる。図のように、シール４４の外面、特に突起５６は側壁３０の内面と接触し、側壁３０とシール４４との間の密閉状態を形成する。シール４４の外面、特にその突起５６と側壁３０の内面との間の摩擦係合は、それらの間に締り嵌めの状態を形成し、容器１０を閉状態に保持する。
【００１２】
あるいは、シールは、例えば米国特許第７，５３７，１３７号明細書、同第７，２１３，７２０号明細書、または同第８，５２８，７７８号明細書において開示されている種類であってもよく、その各々を参照により、その全体が記されているかのごとく本願に援用する。
【００１３】
容器本体２０と蓋４０との間に、例えば容器本体２０とシール４４との間の上記の係合によって防湿密閉状態が形成されてもよい。本明細書において使用されるかぎり、「防湿」という用語は、（ａ）容器内にモレキュラシーブ乾燥剤１グラムプラスマイナス０．２５グラムを入れ、重量を記録し、（ｂ）容器を完全に閉じ、（ｃ）閉じた容器を相対湿度８０％、華氏７２度の条件の環境室に置き、（ｃ）１日後にモレキュラシーブ入りの容器の重量を計測し、（ｄ）４日後にモレキュラシーブ入りの容器の重量を計測し、（ｅ）４日目の標本から１日目の標本を差し引いて、容器の湿気浸入量を水換算のマイクログラムの単位で算出する、という試験方法により測定したときに、容器の湿気浸入量（３日後）が水換算で約１５００マイクログラム未満、他の実施形態では水換算で約５００マイクログラム未満、他の実施形態では水換算で約３００マイクログラム未満、さらに他の実施形態においては水換算で約１５０マイクログラム未満であったことを示すと定義される。
【００１４】
スカート４３が基部壁４２から、その外周の周囲で下方に延びる。スカート４３は、図６に示されるように、容器１０が閉状態にあるとき、リム３６を取り囲み、段差３４の上に載る。図のように、スカート４３の外面は、側壁３０の外面と平らであるか、それに関して内側に配置される。
【００１５】
図の実施形態において、蓋４０の正面部分４６が基部壁４２とスカート４３の延長部として形成され、蓋４０の正面からヒンジ２６の反対の位置で延びる。正面部分４６は基部壁４２およびスカート４３と実質的に連続しており、容器１０が閉状態にあるとき、解除手段筐体８０に被さるように構成される。図２および１０において最もよく示されているように、スカート４３の肉厚領域４５が蓋４０の正面部分４６に形成される。肉厚領域４５の厚さは、スカート４３の残りの部分に関して内方に湾曲するように増大し、肉厚領域４５の実質的に水平の下面４７を形成する。図６に示されるように、正面部分４６のスカート４３の部分は、容器１０が閉状態にあるとき、解除手段筐体８０の外面と実質的に平らか、またはそれに関してわずかに内側に配置され、下面４７が解除手段筐体８０の上面に面し、正面部分４６全体の底面は、容器１０が閉状態にあるとき、一般に使用者にとってアクセス不能で、解除手段６０を後述の方法で使用しなければ、これにアクセスして容器１０を開けることができない。同様に、蓋４０は好ましくは、その外周が側壁３０のそれよりわずかに小さく、すなわちそれに関してわずかに内側に配置され、それによって蓋４０の下面全体がアクセス不能となり、解除手段６０を後述の方法で使用しなければ容器１０を開けることができない。
【００１６】
解除手段筐体８０は容器１０の正面から、すなわち側壁３０の上側部分から外に延びる。例えば図１１に示されるように、解除手段筐体８０は、その両側８４、８６において容器本体の側壁３０に取り付けられた橋状壁８２を含む。例えば図１０に示されるように、橋状壁８２の第一の端８４は、第一の端８４により画定される縁に沿って側壁３０と結合し、この縁は容器本体２０の概して軸方向に延びる。橋状壁８２は、側壁３０から湾曲経路をたどって延び、第二の端８６により画定される縁に沿って再び側壁３０と結合し、この縁は容器本体の概して軸方向に延びる。したがって、筐体空間８８が、側壁３０と、橋状壁８２と、側壁３０と橋状壁８２が接続される第一および第二の端８４、８６と、の間に画定される。筐体空間８８は、図１および６〜９に示されているように、解除手段６０をスライド可能に格納するように構成される。筐体空間８８は、解除手段６０が筐体空間８０内で容器１０の軸方向にスライドできるように構成されていてもよい。
【００１７】
上側開口部９０が筐体空間８８の最上部に画定され、下側開口部９２が筐体空間８８の底に画定される。上側開口部９０は、解除手段６０の最上部分がその中を通過できるように構成され、下側開口部９２は、解除手段６０の最下部分がその中を通過できるように構成されている。上側開口部９０は、図２に示されるように、容器本体の側壁３０の段差３４の上向き面と実質的に軸方向に同じ高さに画定され、容器１０が閉状態にあるとき、蓋４０の正面部分４６により覆われる位置にあり、スカート４５の肉厚部分４５が直接、上側開口部９０の上に載る。下側開口部９２は、図１および２に示され、さらに詳しくは後述するように、解除ボタン６２を受け入れ、ボタン６２がその開口部から外方へと突出できるように構成された経路、例えば、容器１０の最上部に向かって上方に、次に水平に、その後、容器１０の底に向かって下方に延び、実質的に長方形のボタン６２を収容し、露出させる、実質的に３辺を有する方形の経路で延びてもよい。この特徴は、任意選択により、本明細書において開示される何れの容器の実施形態にも、または本発明の範囲内に含まれる何れの他の容器の実施形態にも組み込むことができる。
【００１８】
図３〜５は、解除手段６０を詳しく示している。図のように、解除手段６０は、実質的に長方形の形状と、容器本体の側壁３０の外側曲率および橋状壁８２の内側曲率と適合する、概して湾曲した形態を有する本体６８を含む。解除手段本体６８は、側壁３０と橋状壁８２との間の、それらの間に画定された筐体空間８８の中に嵌るように構成される。解除手段６０は、筐体空間８８内に配置されたときに容器本体２０と対面する内面７０と、筐体空間８８内に配置されたときに容器本体と反対に面し、一部の領域で橋状壁８２に向かう外面７２と、を含む。
【００１９】
図３において最もよく示されているように、ボタン６２は、解除手段本体６８の外面７２上に形成される。ボタン６２は前壁７４として形成され、これは解除手段本体６８から外方に湾曲してその両側においてそこに取り付けられ、本体６８と、ボタン６２を画定する前壁７４との間に空間７６が形成される。この構成により、ボタン６２を解除手段本体６８に関して方向Ｄ１へと内方に押すことができ、ボタン６２は空間７６の中に移動し、解除手段６０が図１、２、および９に示されるようなロック位置から図７および８に示されるようなロック解除位置へと移動できる。ボタン６２は、例えばボタン６２と解除手段本体６８を、ボタンが方向Ｄ１へと変形するのに抵抗できるだけの硬い材料で一体ユニットとして形成することにより、解除手段をロック位置に向かって付勢するように構成できる。
【００２０】
図１、２、６、および９は、ロック位置にある解除手段６０を示している。この位置において、ボタン６２は、図１〜３、８、および９に示されるように橋状壁８２の下から突出している。解除手段本体６８の、ボタン６２より上に配置された上側部分７９は、橋状壁８２とリム３６との間に保持される。解除手段６０の上面７８は、容器本体のリム３６の上縁３８と概して平らに配置される。解除手段６０の上面７８は、蓋のスカート４３の肉厚部分の下面４７と接触する。
【００２１】
容器１０を図１に示される閉状態から図２に示される開状態へと変化させるには、解除手段６０を図１、２、６、および９に示されるロック位置から図７および８に示されるロック解除位置に移動させなければならない。これは、ボタン６２を、図７に示されるように、容器１０の径方向の内方である方向Ｄ１に押すことによって実現される。これによって、解除手段６０が変形し、ボタン６２が方向Ｄ１に移動する。ボタン６２が方向Ｄ１に十分に移動され、解除手段筐体８０の橋状壁８２を通過すると、これは図８に示されるように、容器１０の軸方向の上方である方向Ｄ２へと、ロック解除位置にスライドできる。解除手段６０の上側部分７９の上面７８は、容器１０が閉じられるとスカート４３の肉厚部分４５の底面４７と接触していて、正面部分４６を押し上げるが、これはスカート４３のその部分が橋状壁８２と平らに、またはそれに関して内側に配置されているため、それ以外には容器１０の使用者がそこにアクセスすることはできない。解除手段６０によって正面部分４６を上方に駆動することにより、シール突起５６が容器側壁３０から外れ、それによって今度は蓋４０が容器本体２０から外れ、蓋４０が方向Ｒ１に旋回し、その結果、図８および９に示されるように、容器１０が開く。
【００２２】
ボタン６２は、つまみ５８を含んでいてもよく、これは例えば刻み目か、図の例に示されるように、使用者の指をかけて、解除手段８０をロック位置からロック解除位置へと移動させやすくするために設置された少なくも１つの隆条である。
【００２３】
ボタン６２への方向Ｄ１の圧力が除去されると、解除手段６０は、それが前述のようにロック位置に向かって付勢されているため、ボタン６２がＤ１の反対方向に移動することによってロック位置に戻り始める。これによって今度は、解除手段がＤ２の反対方向に付勢されて、ボタン６２は橋状壁８２を通過し、外側の付勢位置まで移動できる。このようなボタン６２の戻り動作は、使用者がボタン６２への圧力を解除したとき、および容器１０が図９に示されるように開状態にあるとき、または容器１０が図６に示されるように閉状態にあるときに起こりうる。
【００２４】
図１２〜２１は、本発明による第二の実施形態の容器アセンブリ１１０を示す。容器１１０は、図の例のように、医薬品、タバコ製品、菓子、またはその他の食品等の製品を保存するためのバイアルであってもよい。図のように、容器１１０は、その中に複数の製品１１２を収容するための内部１２２を有する容器本体１２０を含む。容器本体１２０は、内部１２２に続く開口部１２４を画定する。容器１１０は、開口部１２４を覆うように構成された蓋１４０をさらに含み、蓋１４０は容器本体１２０に関して移動可能であり、容器１１０を、開口部１２４が蓋１４０によって覆われる、図１２および１６に示されるような閉状態と、開口部１２４が露出する、図１８に示されるような開状態との間で変化させる。図の実施形態において、蓋１４０は容器本体１２０にヒンジ１２６によって蝶着され、蓋１４０は本体１２０に旋回可能に取り付けられて、容器１１０を開状態と閉状態との間で変化させる。容器１１０は、容器本体１２０の一部に取り付けられた解除手段１６０と解除手段筐体１８０をさらに含む。解除手段１６０は、解除手段筐体１８０の中で、蓋１４０を閉状態に保持する、図１２、１３、１６、および１８に示されるようなロック位置と、解除手段１６０が蓋１４０を容器本体１２０から外して、蓋１４０が閉状態から開状態へと移動できる、図１７に示されるようなロック解除位置との間で移動可能である。
【００２５】
容器本体１２０は、底壁１２８と、図の実施形態では実質的に円筒形であり、底壁１２８からその外縁の周囲で上方に延びる管状の側壁１３０と、を含む。底壁１２８と側壁１３０は内部１２２を画定する。係合隆条１３２が側壁１３０の上端において、容器本体１２０の正面部分に形成されてもよく、これが、詳しくは後述するように、蓋１４０を容器本体１２０と係合させて、容器１１０を閉状態に保持する。
【００２６】
蓋１４０が図１９において詳しく示されている。図のように、蓋１４０は、容器１１０が閉状態にあるとき、容器本体の開口部１２４を覆うように構成された実質的に平坦な基部壁１４２を含む。内側シール１４４は、基部壁１４２の底面から下方に延びる。容器１１０が閉状態にあるとき、内側シール１４４は、図１６からわかるように、容器本体の側壁１３０の中に延びる。図のように、シール１４４の外面は、側壁１３０の内面と接触して、側壁１３０とシール１４４との間に密閉状態を形成する。
【００２７】
シール１４４は、例えば米国特許第７，５３７，１３７号明細書、同第７，２１３，７２０号明細書、または同第８，５２８，７７８号明細書において開示されている種類であってもよい。
【００２８】
容器本体１２０と蓋１４０との間に防湿密閉状態が、例えば容器本体１２０とシール１４４との間の上記の係合によって形成されてもよい。
【００２９】
図の実施形態において、タブ１４６が蓋１４０の正面の、ヒンジ１２６と反対の位置から延びる。タブ１４６は実質的に平坦であり、基部壁１４２と実質的に同一平面にあり、タブ１４６は基部壁１４２の前方延長部を形成するようになっている。タブ１４６は、容器１１０が閉状態にあるときに、解除手段筐体１８０に被さるように延び、容器が閉状態にあるとき、解除手段筐体１８０の外面と平らであるか、またはそれに関してわずかに内側に配置される端１５２を有するように構成され、容器が閉状態にあるとき、タブ１４６の底面１５４が解除手段筐体１８０の上面と対面するようになっており、容器１１０が閉状態にあるとき、一般に使用者にとってアクセス不能であり、解除手段１６０を後述の方法で使用しなければ、容器１１０を開くためにそれを使用できない。同様に、蓋１４０は好ましくは、その外周が側壁１３０のそれよりわずかに小さく、すなわち、それに関して径方向の内側に配置され、それによって蓋１４０の下面全体がアクセス不能となり、解除手段１６０を後述のように使用しなければ容器１１０を開けることができない。
【００３０】
ガイド１４８は、タブ１４６の下面から下方に延びる。図１３、１６、および１７に示されるように、ガイド１４８は、容器１１０が閉状態にあるとき、側壁１３０の外面およびその上に形成された係合隆条１３２と係合する。スリット１５０がガイド１４８とタブ１４６の下面との間に形成され、ガイド１４８の上縁に沿って延び、そこでガイドがタブ１４６と結合する。図１６に示されるように、係合隆条１３２は、容器１１０が閉状態にあるときにスリット１５０の中に延び、スリット１５０と係合隆条１３２との間に噛み合い状態を形成して、容器１１０を閉状態に保つのを助ける。
【００３１】
解除手段筐体１８０は容器１１０の正面から、すなわち側壁１３０の上側部分から外に延びる。例えば図２０に示されるように、筐体１８０は、その両側１８４、１８６において容器本体の側壁１３０に取り付けられた橋状壁１８２を含む。例えば図２０に示されるように、橋状壁１８２の第一の端１８４は、第一の端１８４により画定される縁に沿って側壁１３０と結合し、この縁は容器本体１２０の概して軸方向に延びる。橋状壁１８２は、側壁１３０から湾曲経路をたどって延び、第二の端１８６により画定される縁に沿って再び側壁１３０と結合し、この縁は容器本体の概して軸方向に延びる。したがって、筐体空間１８８が、側壁１３０と、橋状壁１８２と、側壁１３０と橋状壁１８２が接続される第一および第二の端１８４、１８６と、の間に画定される。筐体空間１８８は、図１、２および１６〜１８に示されているように、解除手段１６０をスライド可能に格納するように構成される。筐体空間１８８は、解除手段１６０が筐体空間１８０内で容器１１０の軸方向にスライドできるように構成されていてもよい。上側開口部１９０が筐体空間１８８の上部に画定され、下側開口部１９２が筐体空間１８８の底に画定される。上側開口部１９０は解除手段１６０の最上部分がその中を通過できるように構成され、下側開口部１９２は、解除手段１６０の最下部分がその中を通過できるように構成される。上側開口部１９０は、図２０に示されるように、容器本体の側壁１３０の上縁と実質的に軸方向に同じ高さに、またはその付近に画定され、容器１１０が閉状態にあるとき、タブ１４６により覆われる位置にある。下側開口部１９２は、それが端１８４、１８６間で横切る際にアーチ状の経路をたどって容器の蓋１３０に向かって延び、図１２および１３に示され、さらに詳しくは後述するように、解除ボタン１６２を露出させる。
【００３２】
例えば図２０および２１に示されるように、ノッチ１９４、１９６が橋状壁１８２の、上側開口部１９０と端１８４、１８６の各々との間に形成されたその角部に形成される。ノッチは、図の実施形態においては長方形であり、解除ボタン１６０のアーム１６４、１６６を受けるように構成される。
【００３３】
図１４および１５は、解除手段１６０を詳しく示している。図のように、解除手段１６０は、容器本体の側壁１３０の外側曲率および橋状壁１８２の内側曲率と適合するように構成された、概して湾曲した形態を有する本体１６８を含む。解除手段本体１６８は、側壁１３０と橋状壁１８２との間の、それらの間に画定された筐体空間１８８の中に嵌るように構成される。解除手段１６０は、筐体空間１８８内に配置されたときに容器本体１２０と対面する内面１７０と、筐体空間１８８内に配置されたときに、容器本体と反対に面し、一部の領域で橋状壁１８２に向かう外面１７２と、を含む。
【００３４】
図１４において最もよく示されているように、ボタン１６２は、解除手段本体１６８の外面１７２上に形成される。ボタン１６２は解除手段本体１６８に、ボタン１６２の下縁に沿って延びる軸１７４に沿って取り付けられる。スロット１７６がボタン１６２の側縁と上縁を横切り、ボタン１６２を解除手段本体１６８の周辺部分から分離する。この構成により、ボタンは解除手段本体１６８に関して方向Ｒ２に旋回でき、解除手段１６０を、図１２、１３、１６、および１８に示されるようなロック位置と、図１７に示されるようなロック解除位置との間で移動させる。ボタン１６２は、例えばボタン１６２と解除手段本体１６８を、ボタンが方向Ｒ２へと旋回するのに抵抗できるだけの硬い材料で一体ユニットとして形成することにより、解除手段１６０をロック位置に向かって付勢してもよい。
【００３５】
図１２、１３、１６、および１８は、ロック位置にある解除手段１６０を示している。この位置において、ボタン１６２は橋状壁１８２の下から突出する。解除手段本体１６８の、ボタン１６２の上に配置された上側部分１７９は、橋状壁１８２とガイド１４８との間に保持される。アーム１６４、１６６はノッチ１９４、１９６の中に配置され、解除手段１６０の上縁１７８は、容器本体の側壁１３０の上縁１３４と概して平らに配置される。解除手段上縁１７８は、蓋タブ１４６の下面１５４と接触する。
【００３６】
容器１１０を図１２および１６に示される閉状態から図１７および１８に示される開状態へと変化させるには、解除手段１６０を１２、１３、１６、および１８に示されるロック位置から図１７に示されるロック解除位置に移動させなければならない。これは、ボタン１６２を、図１６および１７に示されるように、容器１１０の径方向の内方である方向Ｄ１に押すことによって実現される。これによって、ボタン１６２が方向Ｒ２に旋回する。ボタン１６２が方向Ｒ２に十分に移動され、解除手段筐体１８０の橋状壁１８２を通過すると、これは図１７に示されるように、容器１１０の軸方向の上方である方向Ｄ２へと、ロック解除位置にスライドできる。解除手段１６０の上側部分１７９の最上部は、容器１１０が閉じられると蓋タブ１４６の底面１５４と接触していて、タブ１４６を押し上げるが、これには、その端１５２が橋状壁１８２と平らであり、またはそれに関して内側に配置されているため、それ以外には容器１１０の使用者はそこにアクセスできない。解除手段１６０がタブ１４６を上方に駆動することにより、係合隆条１３２がスリット１５０から外れ、それによって今度は蓋１４０が容器本体１２０から外れ、蓋１４０が方向Ｒ１に旋回し、その結果、図１７に示されるように、容器１１０が開く。
【００３７】
ボタン１６２は、つまみ１５８を含んでいてもよく、これは例えば刻み目か、図の例に示されているように、使用者の指をかけて、解除手段１８０をロック位置からロック解除位置へと移動させやすくするために設置された隆条である。任意選択により、つまみ１５８は、ボタン１６２を押し、縦に移動させる際に、使用者の親指またはその他の指がボタン１６２に掛かった状態のままに保たれやすくする、ざらざらした表面（例えば、ピストルグリップの様式）を含んでいてもよい。
【００３８】
ボタン１６２への方向Ｄ１の圧力が除去されると、解除手段１６０は、それが前述のようにロック位置に向かって付勢されているため、ボタン１６２がＲ２の反対方向に旋回することによってロック位置に戻り始める。これによって今度は、解除手段１６０がＤ２の反対方向に付勢されて、ボタン１６２は橋状壁１８２を通過し、十分に外側へとその付勢位置に移動できる。このようなボタン１６２の戻り動作は、使用者がボタン１６２への圧力を解除したとき、および容器１１０が図１７および１８に示されるように開状態にあるとき、または容器１１０が図１６に示されるように閉状態にあるときに起こりうる。
【００３９】
図２２および２３は、本発明による第三の実施形態の容器２１０を示す。その部品と機能は、図１２〜２１に示される容器１１０のそれらと同じであり、部品の形状と外観だけが異なる。容器２１０の、図１２〜２１の実施形態のそれらに対応する部品の参照番号は１００だけ増やされている。
【００４０】
図２４〜３０は、本発明による第四の実施形態の容器アセンブリ３１０を示す。容器３１０は、図の例のように、医薬品、タバコ製品、菓子、またはその他の食品等の製品を保存するためのバイアルであってもよい。図のように、容器３１０は、その中に複数の製品３１２を収容するための内部３２２を有する容器本体３２０を含む。容器本体３２０は、内部３２２に続く開口部３２４を画定する。容器３１０は、開口部３２４を覆うように構成された蓋３４０をさらに含み、蓋３４０は容器本体３２０に関して移動可能であり、容器３１０を、開口部３２４が蓋３４０によって覆われる、図２４、２７、および２８に示されるような閉状態と、開口部３２４が露出する、図２５に示されるような開状態との間で変化させる。図の実施形態において、蓋３４０は容器本体３２０にヒンジ３２６によって蝶着され、蓋３４０は本体３２０に旋回可能に取り付けられて、容器３１０を開状態と閉状態との間で変化させる。容器３１０は、容器本体３２０の一部に取り付けられた解除手段３６０と解除手段筐体３８０をさらに含む。解除手段３６０は、解除手段筐体３８０の中で、蓋３４０を閉状態に保持する、図２４、２５、および２８に示されるようなロック位置と、解除手段３６０が蓋３４０を容器本体３２０から外して、蓋３４０を閉状態から開状態へと移動できる、図２９に示されるようなロック解除位置との間で移動可能である。
【００４１】
蓋３４０が図２５において詳しく示されている。図のように、蓋３４０は、容器３１０が閉状態にあるとき、容器本体の開口部３２４を覆うように構成された実質的に平坦な基部壁３４２を含む。内側シール３４４は、基部壁３４２の底面から下方に延びる。容器３１０が閉状態にあるとき、内側シール３４４は、図２８および２９からわかるように、容器本体の側壁３３０の中に延びる。図のように、シール３４４の外面は、側壁３３０の内面と接触して、側壁３３０とシール３４４との間に密閉状態を形成する。
【００４２】
あるいは、シールは、例えば米国特許第７，５３７，１３７号明細書、同第７，２１３，７２０号明細書、または同第８，５２８，７７８号明細書において開示されている種類であってもよい。
【００４３】
容器本体３２０と蓋３４０との間に防湿密閉状態が、例えば容器本体３２０とシール３４４との間の上記の係合によって形成されてもよい。
【００４４】
図の実施形態において、タブ３４６が蓋３４０の正面の、ヒンジ３２６と反対の位置から延びる。タブ３４６は実質的に平坦であり、基部壁３４２と実質的に同一平面にあり、タブ３４６は基部壁３４２の前方延長部を形成するようになっている。タブ３４６は、容器３１０が閉状態にあるときに、解除手段筐体３８０に被さるように延び、容器が閉状態にあるとき、解除手段筐体３８０の外面と平らであるか、またはそれに関してわずかに内側に配置される端３５２を有するように構成され、容器３１０が閉状態にあるとき、タブ３４６の底面３５４が解除手段筐体３８０の上面と対面するようになっており、容器３１０が閉状態にあるとき、一般に使用者にとってアクセス不能であり、解除手段３６０を後述の方法で使用しなければ、容器３１０を開くためにそれを使用できない。同様に、蓋３４０は好ましくは、その外周が側壁３３０のそれよりわずかに小さく、すなわち、それに関して径方向の内側に配置され、それによって蓋３４０の下面全体がアクセス不能となり、解除手段３６０を後述のように使用しなければ容器３１０を開くことができない。
【００４５】
ガイド３４８は、タブ３４６の下面から下方に延びる。図２８および２９に示されるように、ガイド３４８は、容器３１０が閉状態にあるとき、後述のように、解除手段３６０と係合する。ノッチ３５０がガイド３４８の、容器３１０に関して径方向の内側に面する内面において、ガイド３４８の、その付近でガイド３４８が基部壁３４２と接続する上側部分に形成される。ノッチ３５０は、詳しくは後述するように、解除手段３６０と係合して容器３１０を閉状態に保持する。
【００４６】
解除手段筐体３８０は容器３１０の正面から、すなわち側壁３３０の上側部分から外に延びる。筐体３８０は、その両側３８４、３８６において容器本体の側壁３３０に取り付けられた橋状壁３８２を含む。例えば図２４に示されるように、橋状壁３８２の第一の端３８４は、第一の端３８４により画定される縁に沿って側壁３３０と結合し、この縁は容器本体３２０の概して軸方向に延びる。橋状壁３８２は、側壁３３０から湾曲経路をたどって延び、第二の端３８６により画定される縁に沿って再び側壁３３０と結合し、この縁は容器本体の概して軸方向に延びる。したがって、筐体空間３８８が、側壁３３０と、橋状壁３８２と、側壁３３０と橋状壁３８２が接続される第一および第二の端３８４、３８６と、の間に画定される。筐体空間３８８は、図２４、２５および２８〜３０に示されているように、解除手段３６０をスライド可能に格納するように構成される。筐体空間３８８は、解除手段３６０が筐体空間３８０内で容器３１０の軸方向にスライドできるように構成されていてもよい。上側開口部３９０が筐体空間３８８の最上部に画定され、下側開口部３９２が筐体空間３８８の底に画定される。上側開口部３９０は解除手段３６０の最上部分がその中を通過できるように構成され、下側開口部３９２は、解除手段３６０の最下部分がその中を通過できるように構成される。上側開口部３９０は、図２５および２８〜３０に示されるように、容器本体の側壁３３０の上縁と実質的に軸方向に同じ高さに、またはその付近に画定され、容器３１０が閉状態にあるとき、タブ３４６により覆われる位置にある。下側開口部３９２は、それが端３８４、３８６間で横切る際にアーチ状の経路をたどって容器の蓋３３０に向かって延び、図２４および２５に示され、さらに詳しくは後述するように、解除ボタン３６２を露出させる。
【００４７】
例えば図２４および２５に示されるように、ノッチ３９４、３９６が橋状壁の、上側開口部３９０と端３８４、３８６の各々との間に形成されたその角部に形成される。ノッチは、図の実施形態においては長方形であり、解除ボタン３６０のアーム３６４、３６６を受けるように構成される。
【００４８】
図２６および２７は、解除手段３６０を詳しく示している。図のように、解除手段３６０は、容器本体の側壁３３０の外側曲率および橋状壁３８２の内側曲率と適合するように構成された、概して湾曲した形態を有する本体３６８を含む。解除手段本体３６８は、側壁３３０と橋状壁３８２との間の、それらの間に画定された筐体空間３８８の中に嵌るように構成される。解除手段３６０は、筐体空間３８８内に配置されたときに容器本体３２０と対面する内面３７０と、筐体空間３８８内に配置されたときに、容器本体と反対に面し、一部の領域で橋状壁３８２に向かう外面３７２と、を含む。
【００４９】
図２６において最もよく示されているように、ボタン３６２は、解除手段本体３６８の外面３７２上に形成される。ボタン３６２は解除手段本体３６８に、ボタン３６２の下縁に沿って延びる軸３７４に沿って取り付けられる。スロット３７６Ａ、３７６Ｂがボタン３６２の両側に沿って上方に、または容器の軸方向に解除手段本体３６８の上縁３７８まで延び、ボタン３６２を解除手段本体３６８の側方部分から分離する。この構成により、ボタンは解除手段本体３６８に関して方向Ｒ２に旋回でき、解除手段３６０を、図２４、２５、および２８に示されるようなロック位置と、図２９に示されるようなロック解除位置との間で移動させる。ボタン３６２は、例えばボタン３６２と解除手段本体３６８を、ボタンが方向Ｒ２へと旋回するのに抵抗できるだけの硬い材料で一体ユニットとして形成することにより、解除手段３６０をロック位置に向かって付勢してもよい。
【００５０】
ラッチ３７５がボタンの最上部分に形成される。例えば図２６および２８〜３０に示されるように、ラッチ３７５は解除手段３６０の外面から外方に突出するフックとして形成される。ラッチ３７５は、容器が閉状態にあり、解除手段がロック位置にあるときにノッチ３５０の中に嵌り、その中に格納され、蓋３４０を、開口部３２４を覆うように保持し、容器を閉状態に保持する。ラッチ３７５は図２４〜３０の実施形態において具体的に説明され、図示されているが、それは本明細書中で説明されている実施形態の何れにも含めることができると理解されるべきである。
【００５１】
図２４および２８は、ロック位置にある解除手段３６０を示している。この位置において、ボタン３６２は橋状壁３８２の下から突出する。ボタン３６２の上側部分３７９は、ガイド３４８と側壁３３０との間に保持され、解除手段のラッチ３７５はガイド３４８のノッチ３５０内に格納される。アーム３６４、３６６はノッチ３９４、３９６の中に配置され、解除手段３６０の上縁３７８は容器本体の側壁３３０の上縁３３４と概して平らに配置される。解除手段３６０の上縁３７８は、蓋のタブ３４６の底面３５４と接触する。
【００５２】
容器３１０を図２４、２８、および２９に示される閉状態から図２５に示される開状態へと変化させるには、解除手段３６０を図２４、２５、および２８に示されるロック位置から図２９に示されるロック解除位置に移動させなければならない。これは、ボタン３６２を、図２８に示されるように、容器３１０の径方向の内方である方向Ｄ１に押すことによって実現される。これによって、ボタン３６２が方向Ｒ２に、内側に旋回する。ボタン３６２が方向Ｒ２に十分に移動され、解除手段筐体３８０の橋状壁３８２を通過し、ラッチ３７５をノッチ３５０から外すと、解除手段３６０は、容器３１０の軸方向の上方である方向Ｄ２へと、ロック解除位置にスライドできる。解除手段３６０の上側部分３７９の最上部は、容器３１０が閉じられると蓋タブ３４６の底面３５４と接触していて、タブ３４６を押し上げるが、その端３５２が橋状壁３８２と平らであり、またはそれに関して内側に配置されているため、それ以外には容器３１０の使用者はそこにアクセスできない。解除手段３６０によってタブ３４６を上方に駆動することにより、図３０に示されるように、蓋３４０は方向Ｒ２に旋回し、その結果、容器３１０が開く。
【００５３】
ボタン３６２は、つまみ３５８を含んでいてもよく、これは例えば刻み目か、図の例に示されているように、使用者の指をかけて、解除手段３８０をロック位置からロック解除位置へと移動させやすくするために設置された隆条である。あるいは、つまみ３５８は、ざらざらした表面（例えば、ピストルグリップの様式）を含んでいてもよい。
【００５４】
ボタン３６２への方向Ｄ１への圧力が除去されると、ボタン３６２は、それがロック位置に向かって付勢されているため、前述のように、Ｒ２の反対方向に旋回することによって解除手段３６０をロック位置に戻し始める。これによって今度は、ボタン３６２がＤ２の反対方向の下方に付勢されて、ボタン３６２は橋状壁３８２を通過し、十分に外側にその付勢位置へと旋回する。このようなボタン３６２の戻り動作は、使用者がボタン３６２への圧力を解除したとき、および容器３１０が図３０に示されるように開状態にあるとき、または容器３１０が図２４に示されるように閉状態にあるときに起こりうる。
【００５５】
図３１〜３７は、本発明による第五の実施形態の容器アセンブリ４１０を示す。容器４１０は、図の例のように、医薬品、タバコ製品、菓子、またはその他の食品等の製品を保存するためのバイアルであってもよい。図のように、容器４１０は、その中に複数の製品４１２を収容するための内部４２２を有する容器本体４２０を含む。容器本体４２０は、内部４２２に続く開口部４２４を画定する。容器４１０は、開口部４２４を覆うように構成された蓋４４０をさらに含み、蓋４４０は容器本体４２０に関して移動可能であり、容器４１０を、開口部４２４が蓋４４０によって覆われる、図３１、３５、および３６に示されるような閉状態と、開口部４２４が露出する、図３２に示されるような開状態との間で変化させる。図の実施形態において、蓋４４０は容器本体４２０にヒンジ４２６によって蝶着され、蓋４４０は本体４２０に旋回可能に取り付けられて、容器４１０を開状態と閉状態との間で変化させる。容器４１０は、容器本体４２０の一部に取り付けられた解除手段４６０と解除手段筐体４８０をさらに含む。解除手段４６０は、解除手段筐体４８０の中で、蓋４４０を閉状態に保持する、図３１、３２、および３５に示されるようなロック位置と、解除手段４６０が蓋４４０を容器本体４２０から外して、蓋４４０を閉状態から開状態へと移動できる、図３６に示されるようなロック解除位置との間で移動可能である。
【００５６】
容器本体４２０は、底壁４２８と、底壁４２８からその外縁の周囲で上方に延びる管状の側壁４３０と、を含む。底壁４２８と側壁４３０は内部４２２を画定する。リム４３４が、開口部４２４のわずかに下で筐体４８０の上の位置において側壁４３０の周囲に延びる。リム４３４は、容器アセンブリ４１０が閉状態にあるときに蓋４４０を支持する着座面４３６を画定する。図３１および３２に示されるように、リム４３４はさらに、解除手段４６０または側壁４３０の外面と蓋４４０との間の中断部を形成し、これは、例えば使用者の指が意図せず容器本体４２０に沿って上方に、蓋４４０に向かって滑った時に発生しうる容器４１０の偶発的な開放を防止するのに役立ちうる。このような例では、リム４３４が使用者の指の移動を、蓋４４０に到達して偶発的に蓋４４０が容器本体４２０から外れる前に中断するであろう。外側シール隆条４３２が側壁４３０の上縁の外面の、リム４３２の上に形成されていてもよく、蓋４４０と容器本体４２０とを密閉して係合させ、詳しくは後述するように容器４１０を閉状態に保持する。
【００５７】
蓋４４０が図３２において詳しく示されている。図のように、蓋４４０は、容器４１０が閉状態にあるとき、容器本体の開口部４２４を覆うように構成された実質的に平坦な基部壁４４２を含む。スカート４４４が、基部壁４４２の底面から下方に延びる。内側シール隆条４４５が、スカート４４４の内面から突出する。容器４１０が閉状態にあるとき、容器本体の側壁の、外側シール隆条４３２を含む上側部分は、図３５からわかるように、スカート４４４内面の中へと延びる。図のように、スカート４４４の内面は側壁４３０の外面と接触し、外側シール隆条４３２が内側シール隆条４４５と接触してそのすぐ下に位置付けられ、側壁４３０とスカート４４４との間に密閉状態が形成される。
【００５８】
あるいは、シールは、例えば米国特許第７，５３７，１３７号明細書、同第７，２１３，７２０号明細書、または同第８，５２８，７７８号明細書において開示されている種類であってもよい。
【００５９】
容器本体４２０と蓋４４０との間に防湿密閉状態が、例えば容器本体４２０とスカート４４４との間の上記の係合によって形成されてもよい。
【００６０】
図の実施形態において、タブ４４６が蓋４４０の正面の、ヒンジ４２６の反対の位置から延びる。タブ４４６は実質的に平坦であり、基部壁４４２と実質的に同一平面にあり、タブ４４６が基部壁４４２の前方延長部を形成するようになっている。タブ４４６は、基部壁４４２から下方に延びる案内壁４４８をさらに含む。案内壁４４８はタブ４４６の周辺で下方に延び、その正面と側面を形成し、タブ４４６の後方でスカート４４４と結合する。タブ４４６は、容器４１０が閉状態にあるときに、解除手段筐体４８０に被さるように延び、容器が閉状態にあるとき、解除手段筐体４８０の外面と実質的に平らであるか、またはそれに関してわずかに内側に配置される端４５２を有するように構成され、容器４１０が閉状態にあるとき、案内壁４４８の底面４５４が解除手段筐体４８０の上面と対面し、一般に使用者にとってアクセス不能である。この点において、解除手段４６０を後述の方法で使用しなければ、タブ４４６を使って容器４１０を開けることはできない。同様に、蓋４４０は好ましくは、その外周が側壁４３０のそれよりわずかに小さく、すなわち、それに関して径方向の内側に配置され、それによって蓋４４０の下面全体がアクセス不能となり、解除手段４６０を後述の方法で使用しなければ容器４１０を開けることができない。
【００６１】
解除手段筐体４８０は容器４１０の正面から、すなわち側壁４３０の上側部分から外に延びる。例えば図３７に示されるように、筐体４８０は、その両側４８４、４８６において容器本体の側壁４３０に取り付けられてリム４３４と結合する橋状壁４８２を含む。リム４３４と同様に、橋状壁４８２は着座面４９２を形成し、これはリム４３２の着座面４３６の延長部として形成される。例えば図３７に示されるように、橋状壁４８２の第一および第二の端４８４、４８６は、側壁４３０に、その両側の正面部分において結合し、リム４３４につながる。橋状壁４８２は、側壁４３０から、その第一および第二の端４８４、４８６との間で湾曲経路をたどって延びる。したがって、筐体空間４８８が、側壁４３０と、橋状壁４８２と、側壁４３０と橋状壁４８２が接続される第一および第二の端４８４、４８６と、の間に画定される。筐体空間４８８は、図３１、３２、３５、および３６に示されているように、解除手段４６０をスライド可能に格納するように構成される。橋状壁４８２の下にポケット４９４が形成される。ポケット４９４は、筐体空間４８８の下側部分を形成し、解除手段４６０の下側部分をスライド可能に格納するように構成される。ポケット４９４の外面は、それが取り付けられている容器側壁４３０の外面と連続していてもよい。
【００６２】
筐体空間４８８は、解除手段４６０が筐体空間４８８内で容器４１０の軸方向にスライドできるように構成される。上側開口部４９０が筐体空間４８８の最上部に画定される。上側開口部４９０は、解除手段４６０の最上部分がその中を通過できるように構成される。上側開口部４９０は、図３７に示されるように、リム４３４の着座面４３６と実質的に軸方向に同じ高さに、またはその付近に画定され、容器４１０が閉状態にあるとき、タブ４４６により覆われる位置にある。
【００６３】
図３３および３４は、解除手段４６０を詳しく示している。図のように、解除手段４６０は、容器本体の側壁４３０の外側曲率および橋状壁４８２の内側曲率と適合するように構成された、概して湾曲した形態を有する本体４６８を含む。解除手段本体４６８は、側壁４３０と橋状壁４８２との間の、それらの間に画定された筐体空間４８８の中に嵌るように構成される。解除手段４６０は、筐体空間４８８内に配置されたときに容器本体４２０と対面する内面４７０と、筐体空間４８８内に配置されたときに、容器本体４２０と反対に面し、一部の領域で橋状壁４８２に向かう外面４７２と、を含む。
【００６４】
図３３において最もよく示されているように、ボタン４６２は、解除手段本体４６８の外面４７２上に形成される。ボタン４６２は解除手段本体４６８に、ボタン４６２の下縁に沿って延びる軸４７４に沿って取り付けられる。逆「ｕ」字形のスロット４７６がボタン４６２の側縁と上縁に沿って延び、ボタン４６２を解除手段本体４６８の周辺部分から分離する。この構成により、ボタン４６２は解除手段本体４６８に関して方向Ｒ２に旋回できる。ボタン４６２が本体４６８に関して方向Ｒ２に、それとの接続により可能な最大限まで旋回された時に、ボタン４６２は方向Ｒ２に押され続けることができ、それと共に本体４６８を方向Ｒ２に引っ張り、ボタン４６２と本体４６８を、図３１、３２、および３５に示されるようなロック位置と、図３６に示されるようなロック解除位置との間で移動させる。ボタン４６２と本体４６８は、例えばボタン４６２と解除手段本体４６８を、ボタン４６２と本体４６８が方向Ｒ２へと旋回するのに抵抗できるだけの硬い材料で一体ユニットとして形成することにより、解除手段４６０をロック位置に向かって付勢してもよい。
【００６５】
解除手段４６０の底壁４６４は、本体４６８と底壁４６４に概して垂直に延びてこれら２つを結合する接続壁４６６によって本体４６８から内側にずらされている。上壁４７８が本体４６８の上縁から容器アセンブリ４１０に関して内方に延び、これも本体４６８と底壁４６４に概して垂直である。肩部４７９が本体４６８の中に、その前面の、わずかに上壁４７８の下でボタン４６２の上に画定される。図３４を参照すると、アーム４９６がボタン４６２の裏面から延び、２つのリブ４９８が本体４６８の、ボタン４６２とは反対側の裏面から延びる。
【００６６】
図３１、３２、および３５は、ロック位置にある解除手段４６０を示しており、解除手段４６０が解除手段筐体４８０筐体空間４８８内に格納されている。この位置において、本体４６８とボタン４６２は橋状壁４８２の下およびポケット４９４の上から突出する。底壁４６４はポケット４９４の中に格納される。上壁４７８は、橋状壁４８２と、容器本体４２０の側壁４３０との間に嵌り、橋状壁４８２は肩部４７９の上に載る。アーム４９６とリブ４９８は各々、側壁４３０に向かって後方に延び、おそらく側壁４３０と接触する。
【００６７】
容器４１０を図３１、３５、および３６に示される閉状態から図３２に示される開状態へと変化させるには、解除手段４６０を図３１、３２、および３５に示されるロック位置から図３６に示されるロック解除位置に移動させなければならない。これは、ボタン４６２を、容器４１０の径方向の内方である方向Ｄ１に押すことによって実現される。ボタン４６２はまず、軸４７４の周囲で方向Ｒ２に旋回する。ボタン４８２が本体４６８に関して最大限まで旋回すると、本体４６８と上壁４７８も方向Ｒ２に旋回し始める。解除手段が、容器アセンブリ４１０に関して橋状壁４８２よりさらに内側に位置付けられると、本体４６８は上方に移動して橋状壁４８２を通過でき、その妨害を受けない。解除手段４６０が方向Ｒ２に旋回している間に、アーム４９６とリブ４９８は内方、すなわち方向Ｄ１に、容器本体の側壁４３０へと押し付けられる。これによって今度は、リム４３４とそれに関連する外側シール隆条４３２がスカート４４４とそれに関連する内側シール隆条４４５と反対に内方に移動し、蓋４４０が容器本体から外れやすくなる。
【００６８】
解除手段４６０が上述のように、図３６に示されるように移動すると、これは、筐体空間４８８の中で上方にスライドすることによって完全にロック解除位置に移動できる。この工程中に、上壁４７８は上方に移動し、そのすぐ上にあるスカート４４４を上に向かう方向に駆動して、蓋４４０の全体を容器本体４２０に関して方向Ｒ１に旋回させ、その結果、アセンブリが開く。外側シール隆条４３２と内側シール隆条４４５が上記のように外れると、この工程の前に蓋４４０を外しやすくなる。
【００６９】
ボタン４６２は、つまみ４５８を含んでいてもよく、これは例えば刻み目か、図の例に示されているように、使用者の指をかけて、解除手段４６０をロック位置からロック解除位置へと移動させやすくするために設置された隆条である。あるいは、つまみ４５８は、ざらざらした表面（例えば、ピストルグリップの様式）を含んでいてもよい。
【００７０】
ボタン４６２への方向Ｄ１の圧力が除去されると、ボタン４６２と本体４６８は、それらが前述のようにロック位置に向かって付勢されているため、Ｒ２の反対方向に旋回することによってロック位置に戻り始める。これによって今度は、本体４６８が下方に付勢されて、それが橋状壁４８２を通過して、その付勢位置へと外方に完全に旋回できる。このような本体４６８の戻り動作は、使用者がボタン４６２への圧力を解除したとき、および容器４１０が図３２に示されるように開状態にあるとき、または容器４１０が図３１に示されるように閉状態にあるときに起こりうる。
【００７１】
本明細書において説明された容器１０、１１０、２１０、３１０、４１０の何れの実施形態にも乾燥剤を備えることができ、これはベースポリマ、チャネリング剤、および乾燥剤を含む乾燥剤プラスチックの形態であってもよい。このような材料は例えば、すべてＨｅｋａｌの米国特許第５，９１１，９３７号明細書、同第６，２１４，２５５号明細書、同第６，１３０，２６３号明細書、同第６，０８０，３５０号明細書、同第６，１７４，９５２号明細書、同第６，１２４，００６号明細書、および同第６，２２１，４４６号明細書に記載されており、これらを参照によって本願に援用する。デサントプラスチックは、ライナ、パック、またはその他の種類のインサートとして提供できる。
【００７２】
図３８〜４３は、本発明による第六の実施形態の容器アセンブリ５１０を示す。容器５１０は、図の例のように、医薬品、タバコ製品、菓子、またはその他の食品等の製品を保存するためのバイアルであってもよい。いくつかの点において、容器５１０は構造と機能において、上述の容器１０、１１０、２１０、３１０、４１０と実質的に同じである。容器５１０には、上述の容器１０、１１０、２１０、３１０、４１０の特徴のいくつかまたは全部が組み込まれていてもよい。簡潔にするために、容器５１０と他の容器１０、１１０、２１０、３１０、４１０のうちの１つまたは複数との間で共通の特徴の構造と機能の詳細な説明はここでは繰り返さない。このような共通の特徴には、容器本体５２０、底壁５２８、側壁５３０、蓋５４０、ヒンジ５２６、解除手段筐体５８０、橋５８２、筐体空間５８８、ガイド５４８、スリット５５０、解除手段５６０、およびボタン５６２が含まれていてもよいが、必ずしもこれらに限定されない。これらの共通の特徴の態様は、他の実施形態の容器１０、１１０、２１０、３１０、４１０の中のそれらに対応するものと構造的および／または機能的に実質的に同じであっても、または（場合によっては）異なっていてもよい。いくつかの重要な相違点を以下に述べる。
【００７３】
解除手段筐体５８０は、解除手段５６０の実質的な長さに沿って下方に延びるアーム５８６を含む。アーム５８６は、解除手段５６０を安定化させ、使用者がボタン５６２を押し、ボタン５６２を軸方向の上方に移動させる時に、解除手段が左右に移動するのを防止するのに役立つ。アーム５８６の内部に沿って縦に延びるレール５８７により、解除手段５６０の安定性はさらに増す。ボタン５６２の後方の両側のガイド５９２が、レール５８７とスライド可能に接触する。この機能は使用中の解除手段５６０を、例えば、使用者がボタン５６２を上方に移動させる際に、ボタン５６２が容器本体５３０に関して径方向に搖動するのを防止し、ボタン５６２が純粋に縦方向にのみ移動できるようにすることによってさらに安定化させる。
【００７４】
解除手段５６０はキャッチ５６１を含み、これは、ボタン５６２を縦方向に移動させようとする際に、使用者の親指またはそれ以外の指が意図せずにボタン５６２から上方に滑るのを防止するのに役立つ。好ましくは、キャッチ５６１は図に示されているものより、ボタン５６２の最上部５６５に至るまでに、より急峻な角度およびより急激な変化を含む。この機能は、使用者の親指、それ以外の指、または爪がボタン５６２の上で意図せずさらに上方まで移動するのを防止するのを支援するであろう。さらに、ボタン５６２は好ましくは、使用者の親指／それ以外の指の位置を維持するのを支援するための長い、立ち上げられたリブ５６３を含む。
【００７５】
図３９において最もよく示されているように、容器本体５２０は、解除手段筐体５８０の橋５８２の下の側壁５３０から突出する２つのリブ５８８を含む。図４２において最もよく示されているように、ボタン５６２は、その裏面から延びる２つのリブ５９０を含む。使用中、ボタン５６２のリブ５９０は容器本体５２０の相補的なリブ５８８により停止され、ボタン５６２が解除手段筐体５８０から完全に外れるのを防止する。
【００７６】
任意選択により、図４３に最もよく示されているように、ヒンジ５２６は浅い窪み５２７を含み、例えば任意選択により約０．１５ｍｍの深さである。窪みは、蓋５４０を容器本体５３０と平らな状態で閉じることができるようにするのを助け、これはよりよい密閉状態を実現しやすくしうる。
【００７７】
図４４および４５を参照すると、本発明による代替的な容器アセンブリ６１０、７１０が示されている。これらのアセンブリ６１０、７１０は各々、それぞれに、解除ボタン６６２、７７２を含み、そのそれぞれが代替的な形状の凹状の窪み６６３、７７３を有する。凹状の窪み６６３、７７３は、使用者がボタン６６２、７６２を押し、縦に移動させるときに、使用者の親指／その他の指がボタン６６２、７７２と接触したままにするのを助けることができる。
【００７８】
上述の容器１０、１１０、２１０、３１０、４１０、５１０、６１０、７１０の各々は、容器の所期の用途に応じて各種の大きさで提供できる。１つの好ましい実施形態において、容器１０、１１０、２１０、３１０、４１０、５１０、６１０、７１０の長さは６０〜１００ｍｍの間である。より好ましくは、容器１０、１１０、２１０、３１０、４１０、５１０、６１０、７１０の長さは６８〜８８ｍｍである。最も好ましくは、容器１０、１１０、２１０、３１０、４１０、５１０、６１０、７１０の長さは約７９．５ｍｍである。例えば、７９．５ｍｍの長さの容器は、平均的な成人の使用者が片手で開けるのに望ましい把持面を提供し、それと同時に、依然として持ち運ぶのに好ましい形状と適合性が保たれることがわかっている。しかしながら、本発明は上記の好ましい長さに限定されないと理解するべきである。
【００７９】
以上、本発明の好ましい実施形態を詳しく説明したが、本発明は説明された具体的な実施形態に限定されず、これらは、単なる例と考えるべきである。容器１０、１１０、２１０、３１０、４１０、５１０、６１０、７１０の何れの実施形態にも、その実施形態に関して説明した特徴の何れかまたは全部を単独で、または組み合わせて提供でき、あるいは他の何れかの実施形態に関して説明された特徴と組み合わせ、または取り替えることもできる。
【図１】
0006465866.tif 000002
【図２】
0006465866.tif 000003
【図３】
0006465866.tif 000004
【図４】
0006465866.tif 000005
【図５】
0006465866.tif 000006
【図６】
0006465866.tif 000007
【図７】
0006465866.tif 000008
【図８】
0006465866.tif 000009
【図９】
0006465866.tif 000010
【図１０】
0006465866.tif 000011
【図１１】
0006465866.tif 000012
【図１２】
0006465866.tif 000013
【図１３】
0006465866.tif 000014
【図１４】
0006465866.tif 000015
【図１５】
0006465866.tif 000016
【図１６】
0006465866.tif 000017
【図１７】
0006465866.tif 000018
【図１８】
0006465866.tif 000019
【図１９】
0006465866.tif 000020
【図２０】
0006465866.tif 000021
【図２１】
0006465866.tif 000022
【図２２】
0006465866.tif 000023
【図２３】
0006465866.tif 000024
【図２４】
0006465866.tif 000025
【図２５】
0006465866.tif 000026
【図２６】
0006465866.tif 000027
【図２７】
0006465866.tif 000028
【図２８】
0006465866.tif 000029
【図２９】
0006465866.tif 000030
【図３０】
0006465866.tif 000031
【図３１】
0006465866.tif 000032
【図３２】
0006465866.tif 000033
【図３３】
0006465866.tif 000034
【図３４】
0006465866.tif 000035
【図３５】
0006465866.tif 000036
【図３６】
0006465866.tif 000037
【図３７】
0006465866.tif 000038
【図３８】
0006465866.tif 000039
【図３９】
0006465866.tif 000040
【図４０】
0006465866.tif 000041
【図４１】
0006465866.tif 000042
【図４２】
0006465866.tif 000043
【図４３】
0006465866.tif 000044
【図４４】
0006465866.tif 000045
【図４５】
0006465866.tif 000046